(57)【要約】【課題】チェーン製造負担を増加させることなく、毛管現象に起因した潤滑油の外部漏出を抑制し、しかも、長期に亘る円滑なチェーンの屈曲摺動を実現するとともに、外プレートおよび内プレートの強度低下を回避する長寿命チェーンを提供すること。【解決手段】内プレート１１０とブシュ１３０と外プレート１５０と連結ピン１６０とを備え、外プレート１５０の内側面に凹設された外プレート側環状凹部１５１が、内プレート１１０の外側面から一部突出したブシュ突出端部１３１を囲繞するブシュ突出端部保持領域１５１ａと、ブシュ突出端部保持領域１５１ａを囲繞して潤滑油に働く毛管現象を抑制する漏出遮断空隙領域１５１ｂとで構成されている長寿命チェーン１００。【選択図】図２
2010270774.tif 000002
【特許請求の範囲】
【請求項１】
前後一対のブシュの両端部を左右一対の内プレートのブシュ圧入孔に圧入嵌合してなる内リンクと前記ブシュ内にそれぞれ貫通する前後一対の連結ピンの両端部を左右一対の外プレートのピン圧入孔に圧入嵌合してなる外リンクとがチェーン長手方向に交互に連結され、前記ブシュの内周面と連結ピンの外周面との間に潤滑油を介在させてなる長寿命チェーンにおいて、
前記外プレートの内側面に凹設された外プレート側環状凹部が、前記内プレートの外側面から一部突出したブシュ突出端部を囲繞するブシュ突出端部保持領域と、該ブシュ突出端部保持領域を囲繞して潤滑油に働く毛管現象を抑制する漏出遮断空隙領域とで構成されていることを特徴とすることを特徴とする長寿命チェーン。
【請求項２】
前記内プレートの外側面に凹設された内プレート側環状凹部が、前記外プレート側環状凹部に対向配置されていることを特徴とする請求項１に記載の長寿命チェーン。
【請求項３】
前記外プレート側環状凹部が、前記外プレートの内側面を凹陥させてオフセット状態で外側面に膨出させるエンボス加工で形成されていることを特徴とする請求項１または請求項２に記載の長寿命チェーン。
【請求項４】
前記内プレート側環状凹部が、前記内プレートの外側面を凹陥させてオフセット状態で内側面に膨出させるエンボス加工で形成されていることを特徴とする請求項２または請求項３に記載の長寿命チェーン。
【発明の詳細な説明】
【技術分野】
【０００１】
本発明は、搬送コンベヤチェーン、伝動チェーンなどに用いる長寿命チェーンに係るものであって、特に、前後一対のブシュの両端部を左右一対の内プレートのブシュ圧入孔に圧入嵌合してなる内リンクと前記ブシュ内にそれぞれ貫通する前後一対の連結ピンの両端部を左右一対の外プレートのピン圧入孔に圧入嵌合してなる外リンクとがチェーン長手方向に交互に連結され、前記ブシュの内周面と連結ピンの外周面との間に潤滑油を介在させてなる長寿命チェーンに関する。
【背景技術】
【０００２】
従来、２本のピンの両端に外プレートを圧入した外リンクとローラを回転自在に嵌めた２本のブシュ両端に内プレートを圧入した内リンクとを互いに連結して成るローラチェーンが知られている（例えば特許文献１参照。）。
【先行技術文献】
【特許文献】
【０００３】
【特許文献１】特開２０００−２４９１９８号公報（特許請求の範囲、図５）
【発明の概要】
【発明が解決しようとする課題】
【０００４】
前述したような従来のローラチェーンでは、ブシュの内周面とピンの外周面との間および外プレートの内側面と内プレートの外側面との間における狭い間隙に起因して、ブシュとピンとの間に注入された潤滑油に対して毛管現象が働き、潤滑油が外プレートの内側面と内プレートの外側面との間から外部漏出するという問題があった。
【０００５】
また、このような毛管現象に起因した潤滑油の外部漏出を防止する手段として、内プレートの外側面と外プレートの内側面との間にＯリング等のシール部材を配置して内プレートと外プレートとの間からの潤滑油の外部漏出を防止することが一般に知られている。
このようなシール部材を採用した場合、シール部材を押圧状態で配置するため、外プレートと内プレートとの間の相対的な屈曲抵抗が大きくなるという問題があり、また、シール部材の摺接摩耗を防止するために内プレートの外側面と外プレートの内側面の表面粗さを小さくする表面仕上げ加工を施す必要があるため、表面仕上げ加工の加工負担が増加するという問題があり、そして、チェーンの部品点数、組立工数が多くなるため、チェーンの組立性が悪くなるという問題があった。
【０００６】
そこで、本発明は、従来の問題を解決するものであって、すなわち、本発明の目的は、チェーン製造負担を増加させることなく、毛管現象に起因した潤滑油の外部漏出を抑制し、しかも、長期に亘る円滑なチェーンの屈曲摺動を実現するとともに、外プレートおよび内プレートの強度低下を回避する長寿命チェーンを提供することである。
【課題を解決するための手段】
【０００７】
請求項１に係る本発明は、前後一対のブシュの両端部を左右一対の内プレートのブシュ圧入孔に圧入嵌合してなる内リンクと前記ブシュ内にそれぞれ貫通する前後一対の連結ピンの両端部を左右一対の外プレートのピン圧入孔に圧入嵌合してなる外リンクとがチェーン長手方向に交互に連結され、前記ブシュの内周面と連結ピンの外周面との間に潤滑油を介在させてなる長寿命チェーンにおいて、前記外プレートの内側面に凹設された外プレート側環状凹部が、前記内プレートの外側面から一部突出したブシュ突出端部を囲繞するブシュ突出端部保持領域と、該ブシュ突出端部保持領域を囲繞して潤滑油に働く毛管現象を抑制する漏出遮断空隙領域とで構成されていることにより、前述した課題を解決したものである。
【０００８】
請求項２に係る本発明は、請求項１に記載の構成に加えて、前記内プレートの外側面に凹設された内プレート側環状凹部が、前記外プレート側環状凹部に対向配置されていることにより、前述した課題を解決したものである。
【０００９】
請求項３に係る本発明は、請求項１または請求項２に記載の構成に加えて、前記外プレート側環状凹部が、前記外プレートの内側面を凹陥させてオフセット状態で外側面に膨出させるエンボス加工で形成されていることにより、前述した課題をさらに解決したものである。
【００１０】
請求項４に係る本発明は、請求項１乃至請求項３のいずれかに記載の構成に加えて、前記内プレート側環状凹部が、前記内プレートの外側面を凹陥させてオフセット状態で内側面に膨出させるエンボス加工で形成されていることにより、前述した課題をさらに解決したものである。
【００１１】
なお、本発明の長寿命チェーンで言うところの「漏出遮断空隙領域」とは、潤滑油に対して働く抑制する程度に広く設定された空隙領域を意味している。
【００１２】
また、本発明の長寿命チェーンで言うところの「オフセット状態」とは、内プレート側環状凹部および外プレート側環状凹部とそれ以外のプレート部分とがプレート厚み方向にずれて段差状を呈している状態を意味している。
【発明の効果】
【００１３】
そこで、本発明は、前後一対のブシュの両端部を左右一対の内プレートのブシュ圧入孔に圧入嵌合してなる内リンクとブシュ内にそれぞれ貫通する前後一対の連結ピンの両端部を左右一対の外プレートのピン圧入孔に圧入嵌合してなる外リンクとがチェーン長手方向に交互に連結され、ブシュの内周面と連結ピンの外周面との間に潤滑油を介在させてなることにより、連結ピンの両端部を外プレートのピン圧入孔に圧入嵌合することで連結ピンの両端部側からの連結ピンに沿った潤滑油の外部漏出を阻止して、円滑なチェーン駆動を実現できるばかりでなく、以下のような特有の効果を奏することができる。
【００１４】
請求項１に係る本発明の長寿命チェーンによれば、外プレートの内側面に凹設された外プレート側環状凹部が、内プレートの外側面から一部突出したブシュ突出端部を囲繞するブシュ突出端部保持領域と、このブシュ突出端部保持領域を囲繞する漏出遮断空隙領域とで構成されていることにより、ブシュの内周面と連結ピンの外周面との間および外プレート側環状凹部の内側面とブシュ突出端部の端面との間の狭い間隙に毛管現象により保留されていた潤滑油がこの狭い間隙の出口側に連通して急激に広がる漏出遮断空隙領域で毛管現象によって浸透する力を消失するため、外プレート側環状凹部の漏出遮断空隙領域への潤滑油の漏出を物理的に阻止してブシュの内周面と連結ピンの外周面との間に潤滑油を確実に保持できる。
その結果、ブシュの内周面と連結ピンの外周面の摩耗損傷を低減でき、チェーン摩耗伸びを長期に亘って防止できる。
【００１５】
また、外プレート側環状凹部が凹部形状を呈していることにより、潤滑油の外部漏出を阻止する疎油性または撥油性の注入剤を外プレート側環状凹部の漏出遮断空隙領域に注入した際にも、この外プレート側環状凹部が疎油性または撥油性の注入剤を確実に保持するため、外プレート側環状凹部の漏出遮断空隙領域による潤滑油の外部漏出の阻止効果を向上できる。
【００１６】
また、ブシュが内プレートの外側面から一部突出していることにより、チェーン稼動時に内リンクが外リンクに対してチェーン幅方向にスキュー、揺動、若しくは、偏在した場合であっても、摺動面積の小さいブシュ突出端部の端面と外プレート側環状凹部の内側面とを相互に接触させて、摺動面積の大きい内プレートの外側面と外プレートの内側面との接触を完全に阻止するため、外プレートの内側面と内プレートの外側面とに表面粗さを小さくする表面仕上げ加工を施すことなく、長期に亘る円滑なチェーンの屈曲摺動を実現できる。
【００１７】
また、外プレートと内プレートとの間には、押圧状態で配置したシール部材を別部品として設けていないので、チェーン稼動時に円滑に屈曲して周回走行するとともにチェーン部品点数の増加を回避できる。
【００１８】
また、外プレートと内プレートとの間にシール部材を設けた場合、シール部材の摺接摩耗を防止して潤滑油の密封性を維持するために、シール部材と接触する外プレートの内側面と内プレートの外側面とに表面粗さを小さくする表面仕上げ加工を施す必要があるが、本発明の長寿命チェーンでは、従来のような表面仕上げ加工を施す必要がなく、チェーンの製造負担を軽減できる。
【００１９】
請求項２に係る本発明の長寿命チェーンによれば、請求項１に記載の長寿命チェーンが奏する効果に加えて、内プレートの外側面に凹設された内プレート側環状凹部が、外プレート側環状凹部に対向配置されていることにより、この内プレート側環状凹部がブシュ突出端部保持領域を囲繞する漏出遮断空隙領域として機能して、外プレート側環状凹部内における漏出遮断空隙領域とともに潤滑油に働く毛管現象を遮断するため、ブシュと連結ピンとの間に潤滑油をより確実に保持できる。
【００２０】
また、内プレート側環状凹部が凹部形状を呈していることにより、潤滑油の外部漏出を阻止する疎油性または撥油性の注入剤を内プレート側環状凹部に注入した際にも、この内プレート側環状凹部が疎油性または撥油性の注入剤を確実に保持するため、漏出遮断空隙領域として機能する内プレート側環状凹部による潤滑油の外部漏出の阻止効果を向上できる。
【００２１】
請求項３に係る本発明の長寿命チェーンによれば、請求項１または請求項２に記載の長寿命チェーンが奏する効果に加えて、外プレート側環状凹部が、外プレートの内側面を凹陥させてオフセット状態で外側面に膨出させるエンボス加工で形成されていることにより、外プレート側環状凹部の断面係数とそれ以外のプレート部分の断面係数とが同程度となるため、外プレートの強度低下を抑制できる。
【００２２】
また、外プレートのプレス打ち抜き加工を行う際に、外プレートの内側面を凹陥させてオフセット状態で外側面に膨出させる形状の金型を用いるだけで、外プレートの打ち抜き加工と外プレート側環状凹部の形成加工とを同時に行うことが可能であるため、外プレートの打ち抜き加工とは別途に外プレート側環状凹部を形成する研削やミーリングなどの機械加工を外プレートに施す必要がなく、チェーンの製造負担を軽減できる。
【００２３】
請求項４に係る本発明の長寿命チェーンによれば、請求項１乃至請求項３のいずれかに記載の長寿命チェーンが奏する効果に加えて、内プレート側環状凹部が、内プレートの外側面を凹陥させてオフセット状態で内側面に膨出させるエンボス加工で形成されていることにより、内プレート側環状凹部の断面係数とそれ以外のプレート部分の断面係数とが同程度となるため、内プレートの強度低下を抑制できる。
【００２４】
また、内プレート側環状凹部が内プレートの外側面を凹陥させてオフセット状態で内側面に膨出させるプレス加工により形成されていることにより、内プレートのプレス打ち抜き加工を行う際に、内プレートの外側面を凹陥させてオフセット状態で内側面に膨出させる形状の金型を用いるだけで、内プレートの打ち抜き加工と内プレート側環状凹部の形成加工とを同時に行うことが可能であるため、内プレートの打ち抜き加工とは別途に内プレート側環状凹部を形成する研削やミーリングなどの機械加工を内プレートに施す必要がなく、チェーンの製造負担を軽減できる。
【図面の簡単な説明】
【００２５】
【図１】本発明の第１実施例である長寿命チェーンの一部を切り欠いた全体概要図。
【図２】図１に示す長寿命チェーンの連結状態を示す斜視図。
【図３】図１に示す長寿命チェーンを一部拡大視した断面図。
【図４】本発明の第２実施例である長寿命チェーンを一部拡大視した断面図。
【図５】本発明の第３実施例である長寿命チェーンを一部拡大視した断面図。
【図６】本発明の第４実施例である長寿命チェーンを一部拡大視した断面図。
【図７】本発明の第５実施例である長寿命チェーンを一部拡大視した断面図。
【図８】本発明の第６実施例である長寿命チェーンを一部拡大視した断面図。
【発明を実施するための形態】
【００２６】
本発明は、前後一対のブシュの両端部を左右一対の内プレートのブシュ圧入孔に圧入嵌合してなる内リンクとブシュ内にそれぞれ貫通する前後一対の連結ピンの両端部を左右一対の外プレートのピン圧入孔に圧入嵌合してなる外リンクとがチェーン長手方向に交互に連結され、ブシュの内周面と連結ピンの外周面との間に潤滑油を介在させてなる長寿命チェーンにおいて、外プレートの内側面に凹設された外プレート側環状凹部が、内プレートの外側面から一部突出したブシュ突出端部を囲繞するブシュ突出端部保持領域と、ブシュ突出端部保持領域を囲繞して潤滑油に働く毛管現象を抑制する漏出遮断空隙領域とで構成されて、チェーン製造負担を増加させることなく、毛管現象に起因した潤滑油の外部漏出を抑制し、しかも、長期に亘る円滑なチェーンの屈曲摺動を実現するとともに、外プレートおよび内プレートの強度低下を回避するものであれば、その具体的な実施の形態は如何なるものであっても何ら構わない。
【００２７】
例えば、本発明の長寿命チェーンは、ローラチェーン、ブシュチェーンのいずれのものがその対象であっても差し支えないが、ローラチェーンの場合には、スプロケットとの噛み合いが円滑になり、チェーンの摩耗を防止するため、より好ましい。
【００２８】
また、本発明の長寿命チェーンにおいてチェーン幅方向に並列配置する内リンクの列数は、単列、または、２列や３列などの複列のいずれであっても良い。
【００２９】
また、本発明の長寿命チェーンにおける外プレート側環状凹部および内プレート側環状凹部の具体的形状については、円形の凹溝、正多角形の凹溝などいずれであっても差し支えない。
【実施例】
【００３０】
以下、本発明の第１実施例である長寿命チェーン１００を図面に基づいて説明する。
ここで、図１は、本発明の第１実施例である長寿命チェーンの一部を切り欠いて示す全体概要図であり、図２は、図１に示す長寿命チェーンの連結状態を一部を切り欠いて示す斜視図であり、図３は、図１に示す長寿命チェーンを一部拡大視して示す断面図である。
【００３１】
まず、本発明の第１実施例である長寿命チェーン１００は、図１乃至図３に示すように、前後一対のブシュ１３０の両端部を左右一対の内プレート１１０のブシュ圧入孔に圧入嵌合してなる内リンク１４０とブシュ１３０内にそれぞれ貫通する前後一対の連結ピン１６０の両端部を左右一対の外プレート１５０のピン圧入孔に圧入嵌合してなる外リンク１７０とがチェーン長手方向に交互に連結されており、前述したブシュ１３０には、ローラ１２０が外嵌されている。
【００３２】
そして、連結ピン１６０の外周面とブシュ１３０の内周面との間に潤滑油が介在している。
【００３３】
そこで、本実施例の長寿命チェーン１００が最も特徴とするブシュ１３０、外プレート１５０および内プレート１１０の具体的な形態について図２および図３により詳しく説明する。
まず、外プレート１５０の内側面には、図２および図３に示すように、ピン圧入孔と同軸の拡径状態で座ぐりして凹設した外プレート側環状凹部１５１が形成されている。
【００３４】
また、外プレート側環状凹部１５１は、図３に示すように、内プレート１１０の外側面から一部突出したブシュ突出端部１３１を囲繞するブシュ突出端部保持領域１５１ａと、ブシュ突出端部保持領域１５１ａの外周側を囲繞する漏出遮断空隙領域１５１ｂとで構成されている。
【００３５】
また、内プレート１１０の外側面には、図２および図３に示すように、ブシュ圧入孔と同軸の拡径状態で座ぐりして凹設した内プレート側環状凹部１１１が形成されており、この内プレート側環状凹部１１１は、外プレート１５０に形成された外プレート側環状凹部１５１に対向配置されている。
【００３６】
また、内プレート１１０に形成された内プレート側環状凹部１１１は、図３に示すように、ブシュ突出端部保持領域１５１ａの外周側を囲繞する漏出遮断空隙領域１１１ｂとして機能している。
【００３７】
前述した漏出遮断空隙領域１５１ｂおよび漏出遮断空隙領域１１１ｂは、ブシュ１３０の内周面と連結ピン１６０の外周面との間および外プレート側環状凹部１５１の内側面とブシュ突出端部１３１の端面との間における狭い間隙に起因して生じがちな毛管現象を抑制する程度に広く設定されている。
【００３８】
また、図３に示すように、ブシュ１３０は、内プレート１１０の外側面から一部突出しており、チェーン稼動時に内リンク１４０が外リンク１７０に対してチェーン幅方向にスキュー、揺動、若しくは、偏在した場合であっても、ブシュ突出端部１３１の端面と外プレート側環状凹部１５１の内側面とを相互に接触させて、内プレート１１０の外側面と外プレート１５０の内側面との接触を阻止するように設計されている。
【００３９】
また、前述した外プレート側環状凹部１５１の漏出遮断空隙領域１５１ｂと内プレート側環状凹部１１１には、潤滑油の外部漏出を阻止する疎油性または撥油性の注入剤が注入されている。
【００４０】
このようにして得られた本実施例の長寿命チェーン１００は、外プレート１５０の内側面に凹設された外プレート側環状凹部１５１が、内プレート１１０の外側面から一部突出したブシュ突出端部１３１を囲繞するブシュ突出端部保持領域１５１ａと、ブシュ突出端部保持領域１５１ａを囲繞する漏出遮断空隙領域１５１ｂとで構成されている。
したがって、ブシュ１３０の内周面と連結ピン１６０の外周面との間および外プレート側環状凹部１５１の内側面とブシュ突出端部１３１の端面との間の狭い間隙に毛管現象により保留されていた潤滑油がこの狭い間隙の出口側に連通して急激に広がる漏出遮断空隙領域１５１ｂで毛管現象によって浸透する力を消失するため、外プレート側環状凹部１５１の漏出遮断空隙領域１５１ｂへの潤滑油の漏出を物理的に阻止してブシュ１３０の内周面と連結ピン１６０の外周面との間に潤滑油を確実に保持できる。
その結果、ブシュ１３０の内周面と連結ピン１６０の外周面の摩耗損傷を低減でき、チェーン摩耗伸びを長期に亘って防止できる。
【００４１】
また、外プレート側環状凹部１５１が、凹部形状を呈している。
したがって、潤滑油の外部漏出を阻止する疎油性または撥油性の注入剤を外プレート側環状凹部１５１の漏出遮断空隙領域１５１ｂに注入した際にも、この外プレート側環状凹部１５１が疎油性または撥油性の注入剤を確実に保持するため、外プレート側環状凹部１５１の漏出遮断空隙領域１５１ｂによる潤滑油の外部漏出の阻止効果を向上できる。
【００４２】
また、ブシュ１３０が、内プレート１１０の外側面から一部突出している。
したがって、チェーン稼動時に内リンク１４０が外リンク１７０に対してチェーン幅方向にスキュー、揺動、若しくは、偏在した場合であっても、摺動面積の小さいブシュ突出端部１３１の端面と外プレート側環状凹部１５１の内側面とを相互に接触させて、摺動面積の大きい内プレート１１０の外側面と外プレート１５０の内側面との接触を完全に阻止するため、外プレート１５０の内側面と内プレート１１０の外側面とに表面粗さを小さくする表面仕上げ加工を施すことなく、円滑なチェーンの屈曲摺動を実現できる。
【００４３】
また、外プレート１５０と内プレート１１０との間には、押圧状態で配置したシール部材を別部品として設けていないので、チェーン稼動時に円滑に屈曲して周回走行するとともにチェーン部品点数の増加を回避できる。
【００４４】
また、外プレート１５０と内プレート１１０との間にシール部材を設けた場合、シール部材の摺接摩耗を防止して潤滑油の密封性を維持するために、シール部材と接触する外プレート１５０の内側面と内プレート１１０の外側面とに表面粗さを小さくする表面仕上げ加工を施す必要があるが、本発明の長寿命チェーン１００では、従来のような表面仕上げ加工を施す必要がなく、チェーンの製造負担を軽減できる。
【００４５】
また、内プレート１１０の外側面に凹設された内プレート側環状凹部１１１が、外プレート側環状凹部１５１に対向配置されている。
したがって、この内プレート側環状凹部１１１がブシュ突出端部保持領域１５１ａを囲繞する漏出遮断空隙領域１１１ｂとして機能して、外プレート側環状凹部１５１内における漏出遮断空隙領域１５１ｂとともに潤滑油に働く毛管現象を遮断するため、ブシュ１３０と連結ピン１６０との間に潤滑油をより確実に保持できる。
【００４６】
そして、内プレート側環状凹部１１１が、凹部形状を呈している。
したがって、潤滑油の外部漏出を阻止する疎油性または撥油性の注入剤を内プレート側環状凹部１１１に注入した際にも、この内プレート側環状凹部１１１が疎油性または撥油性の注入剤を確実に保持するため、漏出遮断空隙領域１１１ｂとして機能する内プレート側環状凹部１１１による潤滑油の外部漏出の阻止効果を向上できるなど、その効果は甚大である。
【００４７】
つぎに、本発明の第２実施例である長寿命チェーン２００について、図４に基づいて説明する。
ここで、本発明の第２実施例である長寿命チェーン２００における内プレート側環状凹部２１１および外プレート側環状凹部２５１以外の構成は、前述した第１実施例の長寿命チェーン１００と全く同じであるため、第１実施例の長寿命チェーン１００に関する明細書、および、図１乃至図３に示す１００番台の符号を２００番台の符号に読み替えることによって、内プレート側環状凹部２１１および外プレート側環状凹部２５１以外の構成についてはその説明を省略する。
【００４８】
そこで、本実施例の長寿命チェーン２００が最も特徴とする内プレート側環状凹部２１１と外プレート側環状凹部２５１の具体的な形態について図４により詳しく説明する。
【００４９】
まず、外プレート側環状凹部２５１は、図４に示すように、外プレート２５０の内側面をピン圧入孔と同軸の拡径状態で凹陥させてオフセット状態で外側面に膨出させるエンボス加工で形成されている。
【００５０】
また、内プレート側環状凹部２１１は、図４に示すように、内プレート２１０の外側面をブシュ圧入孔と同軸の拡径状態で凹陥させてオフセット状態で内側面に膨出させるエンボス加工で形成されている。
【００５１】
なお、本発明の長寿命チェーン２００で言うところの「オフセット状態」とは、内プレート側環状凹部２１１および外プレート側環状凹部２５１とそれ以外のプレート部分とがプレート厚み方向にずれて段差状を呈している状態を意味している。
【００５２】
このようにして得られた本実施例の長寿命チェーン２００は、外プレート側環状凹部２５１が、外プレート２５０の内側面を凹陥させてオフセット状態で外側面に膨出させるエンボス加工で形成されている。
したがって、外プレート側環状凹部２５１の断面係数とそれ以外のプレート部分の断面係数とが同程度となるため、外プレート２５０の強度低下を抑制できる。
【００５３】
また、外プレート２５０のプレス打ち抜き加工を行う際に、外プレート２５０の内側面を凹陥させてオフセット状態で外側面に膨出させる形状の金型を用いるだけで、外プレート２５０の打ち抜き加工と外プレート側環状凹部２５１の形成加工とを同時に行うことが可能であるため、外プレート２５０の打ち抜き加工とは別途に外プレート側環状凹部２５１を形成する研削やミーリングなどの機械加工を外プレート２５０に施す必要がなく、チェーンの製造負担を軽減できる。
【００５４】
また、内プレート側環状凹部２１１が、内プレート２１０の外側面を凹陥させてオフセット状態で内側面に膨出させるエンボス加工で形成されている。
したがって、内プレート側環状凹部２１１の断面係数とそれ以外のプレート部分の断面係数とが同程度となるため、内プレート２１０の強度低下を抑制できる。
【００５５】
また、内プレート側環状凹部２１１が内プレート２１０の外側面を凹陥させてオフセット状態で内側面に膨出させるプレス加工により形成されていることにより、内プレート２１０のプレス打ち抜き加工を行う際に、内プレート２１０の外側面を凹陥させてオフセット状態で内側面に膨出させる形状の金型を用いるだけで、内プレート２１０の打ち抜き加工と内プレート側環状凹部２１１の形成加工とを同時に行うことが可能であるため、内プレート２１０の打ち抜き加工とは別途に内プレート側環状凹部２１１を形成する研削やミーリングなどの機械加工を内プレート２１０に施す必要がなく、チェーンの製造負担を軽減できるなど、その効果は甚大である。
【００５６】
つぎに、本発明の第３実施例である長寿命チェーン３００について、図５に基づいて説明する。
ここで、本発明の第３実施例である長寿命チェーン３００における外プレート側環状凹部３５１以外の構成は、前述した第１実施例の長寿命チェーン１００と全く同じであるため、第１実施例の長寿命チェーン１００に関する明細書、および、図１乃至図３に示す１００番台の符号を３００番台の符号に読み替えることによって、外プレート側環状凹部３５１以外の構成についてはその説明を省略する。
【００５７】
そこで、本実施例の長寿命チェーン３００が最も特徴とする外プレート側環状凹部３５１の具体的な形態について図５により詳しく説明する。
【００５８】
まず、本実施例では、図５に示すように、内プレート３１０の外側面に内プレート側環状凹部は形成されておらず、すなわち、外プレート３５０の内側面に外プレート側環状凹部３５１のみが形成されている。
【００５９】
また、外プレート側環状凹部３５１は、図５に示すように、外プレート３５０の内側面をピン圧入孔と同軸の拡径状態で凹陥させてオフセット状態で外側面に膨出させるエンボス加工で形成されている。
【００６０】
なお、本発明の長寿命チェーン３００で言うところの「オフセット状態」とは、内プレート側環状凹部３１１および外プレート側環状凹部３５１とそれ以外のプレート部分とがプレート厚み方向にずれて段差状を呈している状態を意味している。
【００６１】
このようにして得られた本実施例の長寿命チェーン３００は、外プレート３５０の内側面に外プレート側環状凹部３５１のみが形成されているため、本発明の第１実施例である長寿命チェーン１００の場合と比較して、内プレート３１０の外側面に内プレート側環状凹部を形成していない分だけ、チェーン製造負担を低減できる。
【００６２】
また、外プレート側環状凹部３５１が、外プレート３５０の内側面を凹陥させてオフセット状態で外側面に膨出させるエンボス加工で形成されている。
したがって、外プレート側環状凹部３５１の断面係数とそれ以外のプレート部分の断面係数とが同程度となるため、外プレート３５０の強度低下を抑制できる。
【００６３】
また、外プレート３５０のプレス打ち抜き加工を行う際に、外プレート３５０の内側面を凹陥させてオフセット状態で外側面に膨出させる形状の金型を用いるだけで、外プレート３５０の打ち抜き加工と外プレート側環状凹部３５１の形成加工とを同時に行うことが可能であるため、外プレート３５０の打ち抜き加工とは別途に外プレート側環状凹部３５１を形成する研削やミーリングなどの機械加工を外プレート３５０に施す必要がなく、チェーンの製造負担を軽減できるなど、その効果は甚大である。
【００６４】
つぎに、本発明の第４実施例である長寿命チェーン４００について、図６に基づいて説明する。
ここで、本発明の第４実施例である長寿命チェーン４００における外プレート側環状凹部４５１以外の構成は、前述した第１実施例の長寿命チェーン１００と全く同じであるため、第１実施例の長寿命チェーン１００に関する明細書、および、図１乃至図３に示す１００番台の符号を４００番台の符号に読み替えることによって、外プレート側環状凹部４５１以外の構成についてはその説明を省略する。
【００６５】
そこで、本実施例の長寿命チェーン４００が最も特徴とする外プレート側環状凹部４５１の具体的な形態について図６により詳しく説明する。
【００６６】
まず、本実施例では、図６に示すように、内プレート４１０の外側面に内プレート側環状凹部は形成されておらず、すなわち、外プレート４５０の内側面に外プレート側環状凹部４５１のみが形成されている。
【００６７】
また、外プレート側環状凹部４５１は、図６に示すように、外プレート４５０の内側面をピン圧入孔と同軸の拡径状態で座ぐりして凹設されている。
【００６８】
また、外プレート側環状凹部４５１の内側面には、図６に示すように、外プレート４５０をチェーン幅方向にプレス加工してなる潤滑油保持凹凸部４５２が形成されている。
【００６９】
また、外プレート側環状凹部４５１の漏出遮断空隙領域４５１ｂには、潤滑油の外部漏出を阻止する疎油性または撥油性の注入剤が注入されている。
【００７０】
このようにして得られた本実施例の長寿命チェーン４００は、外プレート４５０の内側面に外プレート側環状凹部４５１のみが形成されているため、本発明の第１実施例である長寿命チェーン１００の場合と比較して、内プレート４１０の外側面に内プレート側環状凹部を形成していない分だけ、チェーン製造負担を低減できる。
【００７１】
また、外プレート側環状凹部４５１の内側面に、外プレート４５０をチェーン幅方向にプレス加工してなる潤滑油保持凹凸部４５２が形成されていることにより、この潤滑油保持凹凸部４５２にプレス加工時における圧縮応力が残留するため、外プレート４５０のプレート強度を向上できる。
【００７２】
また、潤滑油の外部漏出を阻止する疎油性または撥油性の注入剤を外プレート側環状凹部４５１の漏出遮断空隙領域４５１ｂに注入した際にも、潤滑油保持凹凸部４５２が疎油性または撥油性の注入剤を確実に保持するため、外プレート側環状凹部４５１の漏出遮断空隙領域４５１ｂによる潤滑油の外部漏出の阻止効果を向上できるなど、その効果は甚大である。
【００７３】
つぎに、本発明の第５実施例である長寿命チェーン５００について、図７に基づいて説明する。
ここで、本発明の第５実施例である長寿命チェーン５００における外プレート側環状凹部５５１以外の構成は、前述した第１実施例の長寿命チェーン１００と全く同じであるため、第１実施例の長寿命チェーン１００に関する明細書、および、図１乃至図３に示す１００番台の符号を５００番台の符号に読み替えることによって、外プレート側環状凹部５５１以外の構成についてはその説明を省略する。
【００７４】
そこで、本実施例の長寿命チェーン５００が最も特徴とする外プレート側環状凹部５５１の具体的な形態について図７により詳しく説明する。
【００７５】
まず、本実施例では、図７に示すように、内プレート５１０の外側面に内プレート側環状凹部は形成されておらず、すなわち、外プレート５５０の内側面に外プレート側環状凹部５５１のみが形成されている。
【００７６】
また、外プレート側環状凹部５５１は、図７に示すように、外プレート５５０の内側面をピン圧入孔と同軸の拡径状態で凹陥させてオフセット状態で外側面に膨出させるエンボス加工で形成されている。
【００７７】
また、外プレート側環状凹部５５１は、図７に示すように、内プレート５１０の外側面から一部突出したブシュ突出端部５３１を囲繞するブシュ突出端部保持領域５５１ａと、ブシュ突出端部保持領域５５１ａの外周側を囲繞する漏出遮断空隙領域５５１ｂとを備えており、ブシュ突出端部保持領域５５１ａにおける外プレート側環状凹部５５１のチェーン幅方向への深さは、漏出遮断空隙領域５５１ｂにおける外プレート側環状凹部５５１のチェーン幅方向への深さより浅く設定されている。
【００７８】
なお、本発明の長寿命チェーン５００で言うところの「オフセット状態」とは、外プレート側環状凹部５５１とそれ以外のプレート部分とがプレート厚み方向にずれて段差状を呈している状態を意味している。
【００７９】
このようにして得られた本実施例の長寿命チェーン５００は、外プレート５５０の内側面に外プレート側環状凹部５５１のみが形成されているため、本発明の第１実施例である長寿命チェーン１００の場合と比較して、内プレート５１０の外側面に内プレート側環状凹部を形成していない分だけ、チェーン製造負担を低減できる。
【００８０】
また、ブシュ突出端部保持領域５５１ａにおける外プレート側環状凹部５５１のチェーン幅方向への深さが、漏出遮断空隙領域５５１ｂにおける外プレート側環状凹部５５１のチェーン幅方向への深さより浅く設定されている。
したがって、漏出遮断空隙領域５５１ｂの空間が広くなり、潤滑油に働く毛管現象を確実に阻止するため、ブシュ５３０と連結ピン５６０との間における潤滑油の保持効果を向上できる。
【００８１】
つぎに、本発明の第６実施例である長寿命チェーン６００について、図８に基づいて説明する。
ここで、本発明の第６実施例である長寿命チェーン６００における内プレート側環状凹部６１１および外プレート側環状凹部６５１以外の構成は、前述した第１実施例の長寿命チェーン１００と全く同じであるため、第１実施例の長寿命チェーン１００に関する明細書、および、図１乃至図３に示す１００番台の符号を６００番台の符号に読み替えることによって、内プレート側環状凹部６１１および外プレート側環状凹部６５１以外の構成についてはその説明を省略する。
【００８２】
そこで、本実施例の長寿命チェーン６００が最も特徴とする内プレート側環状凹部６１１と外プレート側環状凹部６５１の具体的な形態について図８により詳しく説明する。
【００８３】
まず、外プレート側環状凹部６５１は、図８に示すように、外プレート６５０の内側面側を凹ませて外側面側に膨出させるように、外プレート６５０をピン圧入孔と同軸の拡径状態で湾曲させることで形成されている。
【００８４】
また、内プレート側環状凹部６１１は、図８に示すように、内プレート６１０の外側面側を凹ませて内側面側に膨出させるように、内プレート６１０をブシュ圧入孔と同軸の拡径状態で湾曲させることで形成されている。
【００８５】
このようにして得られた本実施例の長寿命チェーン６００は、外プレート側環状凹部６５１が、外プレート６５０の内側面側を凹ませて外側面側に膨出させるように外プレート６５０をピン圧入孔と同軸の拡径状態で湾曲させることで形成されている。
したがって、外プレート側環状凹部６５１の断面係数とそれ以外のプレート部分の断面係数とが同程度となるため、外プレート６５０の強度低下を抑制でき、また、外プレート側環状凹部６５１が外プレート６５０の内側面をピン圧入孔と同軸の拡径状態で凹陥させてオフセット状態で外側面に膨出させることで形成されている場合と比較して、プレート変形量を小さく抑えることが可能であるため、外プレート６５０の強度低下を一段と抑制できる。
【００８６】
また、外プレート６５０のプレス打ち抜き加工を行う際に、外プレート６５０の内側面側を凹ませて外側面側に膨出させるように外プレート６５０をピン圧入孔と同軸の拡径状態で湾曲させる形状の金型を用いるだけで、外プレート６５０の打ち抜き加工と外プレート側環状凹部６５１の形成加工とを同時に行うことが可能であるため、外プレート６５０の打ち抜き加工とは別途に外プレート側環状凹部６５１を形成する研削やミーリングなどの機械加工を外プレート６５０に施す必要がなく、チェーンの製造負担を軽減できる。
【００８７】
また、内プレート側環状凹部６１１が、内プレート６１０の外側面側を凹ませて内側面側に膨出させるように、内プレート６１０をブシュ圧入孔と同軸の拡径状態で湾曲させることで形成されている。
したがって、内プレート側環状凹部６１１の断面係数とそれ以外のプレート部分の断面係数とが同程度となるため、内プレート６１０の強度低下を抑制でき、また、内プレート側環状凹部６１１が内プレート６１０の外側面をブシュ圧入孔と同軸の拡径状態で凹陥させてオフセット状態で外側面に膨出させることで形成されている場合と比較して、プレート変形量を小さく抑えることが可能であるため、内プレート６１０の強度低下を一段と抑制できる。
【００８８】
また、内プレート６１０のプレス打ち抜き加工を行う際に、内プレート６１０の外側面側を凹ませて内側面側に膨出させるように内プレート６１０をブシュ圧入孔と同軸の拡径状態で湾曲させる形状の金型を用いるだけで、内プレート６１０の打ち抜き加工と内プレート側環状凹部６１１の形成加工とを同時に行うことが可能であるため、内プレート６１０の打ち抜き加工とは別途に内プレート側環状凹部６１１を形成する研削やミーリングなどの機械加工を内プレート６１０に施す必要がなく、チェーンの製造負担を軽減できるなど、その効果は甚大である。
【符号の説明】
【００８９】
１００、２００、３００、４００、５００、６００    ・・・  長寿命チェーン
１１０、２１０、３１０、４１０、５１０、６１０    ・・・  内プレート
１１１、２１１、                        ６１１    ・・・  内プレート側環状凹部
１１１ｂ、２１１ｂ、                    ６１１ｂ  ・・・  漏出遮断空隙領域
１２０、２２０、３２０、４２０、５２０、６２０    ・・・  ローラ
１３０、２３０、３３０、４３０、５３０、６３０    ・・・  ブシュ
１３１、２３１、３３１、４３１、５３１、６３１    ・・・  ブシュ突出端部
１４０、２４０、３４０、４４０、５４０、６４０    ・・・  内リンク
１５０、２５０、３５０、４５０、５５０、６５０    ・・・  外プレート
１５１、２５１、３５１、４５１、５５１、６５１    ・・・  外プレート側環状凹部
１５１ａ、２５１ａ、３５１ａ、４５１ａ、５５１ａ、６５１ａ  ・・・  ブシュ突出端部保持領域
１５１ｂ、２５１ｂ、３５１ｂ、４５１ｂ、５５１ｂ、６５１ｂ  ・・・  漏出遮断空隙領域
４５２                    ・・・  潤滑油保持凹凸部
１６０、２６０、３６０、４６０、５６０、６６０    ・・・  連結ピン
１７０、２７０、３７０、４７０、５７０、６７０    ・・・  外リンク
【図１】
2010270774.tif 000003
【図２】
2010270774.tif 000004
【図３】
2010270774.tif 000005
【図４】
2010270774.tif 000006
【図５】
2010270774.tif 000007
【図６】
2010270774.tif 000008
【図７】
2010270774.tif 000009
【図８】
2010270774.tif 000010